【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
各種危険物を所定の移送先まで移送する際に必要な各種情報を危険物移送車両の運転者に提供する危険物移送情報提供システムであって、
上記運転者が操作するユーザ端末と、
上記ユーザ端末とネットワークを介して接続された移送情報管理サーバとを備え、
上記移送情報管理サーバは、
少なくとも、移送先の所在地を明確にするための情報、移送先の敷地内の様子と当該移送先に適した危険物移送車両の車種とに関する情報、並びに、移送先毎の車両制限項目、荷卸しに必要不可欠な器具、荷卸し可能時間、及び禁止事項に関する情報からなる上記運転者にとって必要な各種情報をデータベースとして管理して記憶する記憶手段と、
上記ユーザ端末からの要求に応じて、上記データベースから上記運転者に所望の情報を読み出し、当該ユーザ端末に対して表示可能に配信する配信手段とを有すること
を特徴とする危険物移送情報提供システム。
【請求項２】
上記移送情報管理サーバは、移送先を特定する移送先特定情報を上記ユーザ端末に対して要求し、当該ユーザ端末からの移送先特定情報に基づいて、当該ユーザ端末に対して配信すべき情報を決定する決定手段を有すること
を特徴とする請求項１記載の危険物移送情報提供システム。
【請求項３】
上記決定手段は、上記運転者が使用する危険物移送車両の車種を上記ユーザ端末に対して要求し、当該ユーザ端末からの車種選択情報に基づいて、当該ユーザ端末に対して配信すべき情報を決定すること
を特徴とする請求項２記載の危険物移送情報提供システム。
【請求項４】
上記移送先の敷地内の様子及び車種に関する情報は、移送先の敷地内の面積及び構造に関する情報、移送先における注入口の設置位置に関する情報、移送先における注入口付近に設けられた傾斜に関する情報、移送先の敷地に対する危険物移送車両の進入方法に関する情報、移送先の敷地における危険物移送車両の停車位置及び停車方向に関する情報、移送先に応じた荷卸し優先順序に関する情報からなること
を特徴とする請求項１乃至請求項３のうちいずれか１項記載の危険物移送情報提供システム。
【請求項５】
上記危険物は、消防法別表第四類に規定する引火性液体であること
を特徴とする請求項１乃至請求項４のうちいずれか１項記載の危険物移送情報提供システム。
【請求項６】
各種危険物を所定の移送先まで移送する際に必要な各種情報を危険物移送車両の運転者に提供する危険物移送情報提供方法であって、
少なくとも、移送先の所在地を明確にするための情報、移送先の敷地内の様子と当該移送先に適した危険物移送車両の車種とに関する情報、並びに、移送先毎の車両制限項目、荷卸しに必要不可欠な器具、荷卸し可能時間、及び禁止事項に関する情報からなる上記運転者にとって必要な各種情報を、移送情報管理サーバによってデータベースとして管理し、
上記運転者が操作するユーザ端末からの要求に応じて、上記移送情報管理サーバが上記データベースから当該運転者に所望の情報を読み出し、当該ユーザ端末に対して表示可能に配信すること
を特徴とする危険物移送情報提供方法。
【請求項７】
各種危険物を所定の移送先まで移送する際に必要な各種情報を危険物移送車両の運転者に提供するサーバ装置であって、
少なくとも、移送先の所在地を明確にするための情報、移送先の敷地内の様子と当該移送先に適した危険物移送車両の車種とに関する情報、並びに、移送先毎の車両制限項目、荷卸しに必要不可欠な器具、荷卸し可能時間、及び禁止事項に関する情報からなる上記運転者にとって必要な各種情報を、データベースとして管理して記憶する記憶手段と、
上記運転者が操作するユーザ端末からの要求に応じて、上記データベースから当該運転者に所望の情報を読み出し、当該ユーザ端末に対して表示可能に配信する配信手段とを備えること
を特徴とするサーバ装置。
【請求項８】
各種危険物を所定の移送先まで移送する危険物移送車両の運転者が操作する端末装置であって、
少なくとも、移送先の所在地を明確にするための情報、移送先の敷地内の様子と当該移送先に適した危険物移送車両の車種とに関する情報、並びに、移送先毎の車両制限項目、荷卸しに必要不可欠な器具、荷卸し可能時間、及び禁止事項に関する情報からなる上記運転者にとって必要な各種情報をデータベースとして管理する移送情報管理サーバから、当該運転者に所望の情報を受信する受信手段と、
上記受信手段によって受信した情報を表示する表示手段とを備えること
を特徴とする端末装置。
【手続補正２】
【補正対象書類名】明細書
【補正対象項目名】００１８
【補正方法】変更
【補正の内容】
【００１８】
上述した目的を達成する本発明にかかる危険物移送情報提供システムは、各種危険物を所定の移送先まで移送する際に必要な各種情報を危険物移送車両の運転者に提供する危険物移送情報提供システムであって、上記運転者が操作するユーザ端末と、上記ユーザ端末とネットワークを介して接続された移送情報管理サーバとを備え、上記移送情報管理サーバは、少なくとも、移送先の所在地を明確にするための情報、移送先の敷地内の様子と当該移送先に適した危険物移送車両の車種とに関する情報、並びに、移送先毎の車両制限項目、荷卸しに必要不可欠な器具、荷卸し可能時間、及び禁止事項に関する情報からなる上記運転者にとって必要な各種情報をデータベースとして管理して記憶する記憶手段と、上記ユーザ端末からの要求に応じて、上記データベースから上記運転者に所望の情報を読み出し、当該ユーザ端末に対して表示可能に配信する配信手段とを有することを特徴としている。
【手続補正３】
【補正対象書類名】明細書
【補正対象項目名】００２０
【補正方法】変更
【補正の内容】
【００２０】
ここで、上記移送情報管理サーバは、移送先を特定する移送先特定情報を上記ユーザ端末に対して要求し、当該ユーザ端末からの移送先特定情報に基づいて、当該ユーザ端末に対して配信すべき情報を決定する決定手段を有する。また、上記決定手段は、上記運転者が使用する危険物移送車両の車種を上記ユーザ端末に対して要求し、当該ユーザ端末からの車種選択情報に基づいて、当該ユーザ端末に対して配信すべき情報を決定することもできる。
【手続補正４】
【補正対象書類名】明細書
【補正対象項目名】００２５
【補正方法】変更
【補正の内容】
【００２５】
また、上述した目的を達成する本発明にかかる危険物移送情報提供方法は、各種危険物を所定の移送先まで移送する際に必要な各種情報を危険物移送車両の運転者に提供する危険物移送情報提供方法であって、少なくとも、移送先の所在地を明確にするための情報、移送先の敷地内の様子と当該移送先に適した危険物移送車両の車種とに関する情報、並びに、移送先毎の車両制限項目、荷卸しに必要不可欠な器具、荷卸し可能時間、及び禁止事項に関する情報からなる上記運転者にとって必要な各種情報を、移送情報管理サーバによってデータベースとして管理し、上記運転者が操作するユーザ端末からの要求に応じて、上記移送情報管理サーバが上記データベースから当該運転者に所望の情報を読み出し、当該ユーザ端末に対して表示可能に配信することを特徴としている。
【手続補正５】
【補正対象書類名】明細書
【補正対象項目名】００６５
【補正方法】変更
【補正の内容】
【００６５】
ガソリンスタンド等の移送先における注入口は、２種類に大別される。すなわち、注入口の形態としては、図１１(ａ)に敷地の平面図及び図１１(ｂ)に敷地の側面図を示すように、複数の貯蔵タンク６０が地下に埋設され、当該複数の貯蔵タンク６０のそれぞれから延在する所定の配管７０を注入口３０へと接続し、注入口３０を１箇所又は複数箇所に集約設置した遠方注入口と、図１２(ａ)に敷地の平面図及び図１２(ｂ)に敷地の斜視図を示すように、複数の貯蔵タンク６０が地下に埋設され、当該複数の貯蔵タンク６０のそれぞれから延在する所定の配管７０を複数の注入口３０のマンホールへと接続することにより、複数の注入口３０を設置した直上注入口とがある。
【手続補正６】
【補正対象書類名】明細書
【補正対象項目名】００６６
【補正方法】変更
【補正の内容】
【００６６】
ここで、直上注入口においては、荷卸しする際の優先順序が決まっている場合が多く存在する。また、危険物移送業務においては、上述したように、一度の移送によって必ずしも同じ種類の危険物を運搬するとは限らないが、例えば、今回の移送で危険物移送車両に積載している危険物に灯油が含まれる場合には、１番目の優先順序として決まっている灯油の荷卸しを最初に行うように指定され、灯油が含まれていない場合には、２番目の優先順序として決まっている軽油の荷卸しを最初に行うように指定される、といったように、危険物移送車両に積載している危険物の種類によって異なる順序での荷卸しを指定されることもある。
【手続補正７】
【補正対象書類名】明細書
【補正対象項目名】０１２２
【補正方法】変更
【補正の内容】
【０１２２】
【図１】荷主や運送会社が作成した手書きによる移送先までの地図の例を説明する図である。
【図２】危険物移送車両の平面図であって、１つのタンクが複数のタンク室に室割されて構成されている様子を説明するための図である。
【図３】乗り付けた危険物移送車両に対して敷地面積が狭い移送先の様子を説明するための当該移送先の敷地の平面図である。
【図４】障害となる建造物が存在するために危険物移送車両の操作が困難・不可能となる移送先の様子を説明するための当該移送先の敷地の平面図である。
【図５】移送先における注入口と危険物移送車両に設けられた吐出口とをホースを介して接続して荷卸しを行う様子を説明するための当該移送先の敷地の平面図である。
【図６（ａ）】危険物移送車両に設けられている傾斜を説明するための当該危険物移送車両の側面図であって、車両前方に向かって下り勾配が設けられたタンクローリーの側面図である。
【図６（ｂ）】危険物移送車両に設けられている傾斜を説明するための当該危険物移送車両の側面図であって、車両後方に向かって下り勾配が設けられたタンクトレーラーの側面図である。
【図７（ａ）】移送先の敷地内への危険物移送車両の進入方法、停車位置、及び停車方向を、注入口付近に設けられた傾斜に合わせる必要がある様子を説明するための当該危険物移送車両の側面図であって、車両前方に向かって下り勾配が設けられたタンクローリーの側面図である。
【図７（ｂ）】移送先の敷地内への危険物移送車両の進入方法、停車位置、及び停車方向を、注入口付近に設けられた傾斜に合わせる必要がある様子を説明するための当該危険物移送車両の側面図であって、車両後方に向かって下り勾配が設けられたタンクトレーラーの側面図である。
【図８】移送先における注入口の付近に設けられた傾斜に沿って片側独立配管を備える危険物移送車両を停車させた様子を説明するための当該移送先の敷地の平面図である。
【図９】危険物移送車両の死角を説明するための当該危険物移送車両の平面図である。
【図１０（ａ）】移送先の敷地の傾斜と危険物移送車両の傾斜とに反する当該危険物移送車両の停車を指示される理由を説明するための当該移送先の敷地の平面図であって、荷卸しを行っている状況においての一般車両の洗車機の使用を阻害しないことを理由とする場合を説明するための図である。
【図１０（ｂ）】移送先の敷地の傾斜と危険物移送車両の傾斜とに反する当該危険物移送車両の停車を指示される理由を説明するための当該移送先の敷地の平面図であって、給油のために敷地内へ進入してくる一般車両の通路の確保を理由とする場合を説明するための図である。
【図１１（ａ）】移送先の敷地の平面図であって、遠方注入口を説明するための図である。
【図１１（ｂ）】移送先の敷地の側面図であって、遠方注入口を説明するための図である。
【図１２（ａ）】移送先の敷地の平面図であって、直上注入口を説明するための図である。
【図１２（ｂ）】移送先の敷地の斜視図であって、直上注入口を説明するための図である。
【図１３（ａ）】移送先毎の車両制限項目の例を説明するための危険物移送車両の側面図であって、移送先のピットルームに１４キロ車が後方から進入した様子を説明するための図である。
【図１３（ｂ）】移送先毎の車両制限項目の例を説明するための危険物移送車両の側面図であって、移送先のピットルームに高さ制限のため１４キロ車よりも車高が高くなる１６キロ車が後方から進入することができない様子を説明するための図である。
【図１４】本発明の実施の形態として示す危険物移送情報提供システムの構成を説明する図である。
【図１５】所在地情報データベースの内容を説明する図である。
【図１６】敷地内情報データベースの内容を説明する図である。
【図１７】必要情報データベースの内容を説明する図である。
【図１８】同危険物移送情報提供システムにおける移送情報管理サーバ及びユーザ端末の構成を説明するブロック図である。
【図１９】同危険物移送情報提供システムにおいて、移送情報管理サーバからユーザ端末に対して、運転者にとって必要な各種情報を配信する際の一連の工程を説明するフローチャートである。
【図２０】同危険物移送情報提供システムにおいて、移送情報管理サーバからユーザ端末に対して、運転者にとって必要な各種情報を配信する際の一連の工程を説明するフローチャートであって、図１９に示す工程の続きを説明する図である。
【図２１】同危険物移送情報提供システムにおいて、移送情報管理サーバからユーザ端末に対して、運転者にとって必要な各種情報を配信する際の一連の工程を説明するフローチャートであって、図２０に示す工程の続きを説明する図である。
【図２２】ユーザ端末における表示部に表示される各種情報の例を説明する図である。
【図２３】ユーザ端末における表示部に表示される各種情報の例を説明する図であって、ある移送先に関する情報に加え、追加的に検索した他の移送先に関する情報を表示している様子を説明するための図である。
【図２４】ユーザ端末における表示部に表示される各種情報の例を説明する図であって、拡大した地図情報を表示している様子を説明するための図である。
【図２５（ａ）】ユーザ端末における表示部に表示される敷地内情報の例を説明する図であって、１番目の優先順序として指定されている灯油の注入口へと危険物移送車両を案内するための情報を表示している様子を説明するための図である。
【図２５（ｂ）】ユーザ端末における表示部に表示される敷地内情報の例を説明する図であって、２番目の優先順序として指定されている軽油の注入口へと危険物移送車両を案内するための情報を表示している様子を説明するための図である。
【図２５（ｃ）】ユーザ端末における表示部に表示される敷地内情報の例を説明する図であって、３番目の優先順序として指定されているガソリンの注入口へと危険物移送車両を案内するための情報を表示している様子を説明するための図である。
【図２５（ｄ）】ユーザ端末における表示部に表示される敷地内情報の例を説明する図であって、４番目の優先順序として指定されているハイオクガソリンの注入口へと危険物移送車両を案内するための情報を表示している様子を説明するための図である。
【図２６】消防法別表に規定されている危険物を説明するための図である。
【図２７】危険物施設の区分について説明するための図である。
【図２８】類型化された一般取扱所について説明するための図である。